(57)【要約】  チャック本体種・ツメ種決定テーブルとプッシャ種決定テーブルとを予め記憶しておき、部品の大きさやリードピッチ、リード径、部品形状（上面の形状）等のリード部品に関する情報を取得し（Ｓ１００〜Ｓ１２０）、取得した部品の大きさやリードピッチ、リード径等を検索キーとしてチャック本体種・ツメ種決定テーブルから該当するチャック本体種とツメ種の組み合わせを検索すると共に（Ｓ１３０）、取得した部品形状等を検索キーとしてプッシャ種決定テーブルから該当するプッシャ種を検索し（Ｓ１４０）、検索結果を表示する（Ｓ１７０）。これにより、複数の構成部材の組み合わせからなるツールの選択を自動で行うことができる。
2017090131.tif 000002
【特許請求の範囲】
【請求項１】
複数の構成部材の組み合わせからなるツールによりリード部品を把持して基板に装着する場合に用いられ、前記リード部品の把持または前記基板への装着に適した構成部材またはその組み合わせを検索するツール検索装置であって、
前記複数の構成部材のそれぞれに関する複数の構成部材情報を、前記リード部品の部品本体のサイズに関するサイズ関連情報または前記リード部品のリードに関するリード関連情報に対応付けて記憶する記憶部と、
前記サイズ関連情報または前記リード関連情報を取得可能な取得部と、
前記取得した前記サイズ関連情報または前記リード関連情報を検索キーとして前記記憶部から該当する構成部材情報またはその組み合わせを検索する検索部と、
前記検索結果を出力する出力部と、
を備えることを特徴とするツール検索装置。
【請求項２】
請求項１記載のツール検索装置であって、
前記構成部材として、少なくともツール本体と該ツール本体に取り付けられて把持動作が可能となる爪とを含み、
前記記憶部は、前記複数の構成部材情報として前記ツール本体に関するツール本体情報と前記爪に関する爪情報とを、前記サイズ関連情報または前記リード関連情報に対応付けて記憶し、
前記検索部は、前記取得した前記サイズ関連情報または前記リード関連情報を検索キーとして該当する前記ツール本体情報または前記爪情報あるいはそれらの組み合わせを検索する
ことを特徴とするツール検索装置。
【請求項３】
請求項２記載のツール検索装置であって、
前記構成部材として、更に前記ツール本体に取り付けられて前記リード部品の部品上面を押さえることが可能な押さえ部材を含み、
前記記憶部は、前記複数の構成部材情報として更に前記押さえ部材に関する押さえ部材関連情報を、前記リード部品の上面形状に関する上面形状関連情報に対応付けて記憶し、
前記取得部は、更に前記上面形状関連情報を取得可能であり、
前記検索部は、前記取得した前記サイズ関連情報または前記リード関連情報と前記上面形状関連情報とを検索キーとして該当する前記ツール本体情報，前記爪情報または前記押さえ部材情報あるいはそれらの組み合わせを検索する
ことを特徴とするツール検索装置。
【請求項４】
請求項３記載のツール検索装置であって、
前記ツールは、部品供給装置により供給されるリード部品を把持可能であり、
前記記憶部は、前記ツール本体に対して前記押さえ部材を取り付ける際の取付け高さに関する取付け高さ関連情報を、前記リード部品が供給される際の供給高さに関する供給高さ関連情報に対応付けて記憶し、
前記取得部は、更に前記供給高さ関連情報を取得可能であり、
前記検索部は、前記取得した前記サイズ関連情報または前記リード関連情報と前記上面形状関連情報と前記供給高さ関連情報とを検索キーとして該当する前記ツール本体情報，前記爪情報，前記押さえ部材情報または前記取付け高さ関連情報あるいはそれらの組み合わせを検索する
ことを特徴とするツール検索装置。
【請求項５】
請求項１ないし４いずれか１項に記載のツール検索装置であって、
前記記憶部は、前記構成部材情報の組み合わせ毎に対応付けて、該組み合わせからなるツールを識別するツール識別情報を記憶し、
前記出力部は、前記検索部により検索された前記複数の構成部材情報の組み合わせと、該組み合わせに対応する前記ツール識別情報とを出力する
ことを特徴とするツール検索装置。
【発明の詳細な説明】
【技術分野】
【０００１】
本発明は、ツール検索装置に関する。
【背景技術】
【０００２】
従来より、メカニカルチャック（メカチャック）等のツールによって部品を把持して基板に装着する部品装着機が知られている。例えば、特許文献１には、メカチャックの特性を示す特性情報と当該メカチャックに把持される部品に関する部品情報とを取得し、特性情報と部品情報とを照合することで、メカチャックが部品の把持または基板の装着に適しているか否かを判断するものが開示されている。
【特許文献１】特開２００８−１０８９１９号公報
【発明の開示】
【０００３】
しかしながら、特許文献１記載の技術では、使用するツールが部品の把持や装着に適しているかを判断するだけのものであり、ツールの選択はユーザ自身が行わなければならない。特に、リード部品を把持したり装着したりするためのツールが本体や爪、プッシャ（押さえ部材）等の複数の構成部材の組み合わせからなる場合、ユーザは、膨大な種類の組み合わせの中から最適な組み合わせを見つけ出さなければならず、過大な負担を強いられていた。
【０００４】
本発明は、複数の構成部材の組み合わせからなるツールによりリード部品を把持して基板に装着するものにおいて、リード部品の把持や基板への装着に適した構成部材またはその組み合わせをユーザが効率よく見つけ出せるようにすることを主目的とする。
【０００５】
本発明は、上述の主目的を達成するために以下の手段を採った。
【０００６】
本発明のツール検索装置は、
複数の構成部材の組み合わせからなるツールによりリード部品を把持して基板に装着する場合に用いられ、前記リード部品の把持または前記基板への装着に適した構成部材またはその組み合わせを検索するツール検索装置であって、
前記複数の構成部材のそれぞれに関する複数の構成部材情報を、前記リード部品の部品本体のサイズに関するサイズ関連情報または前記リード部品のリードに関するリード関連情報に対応付けて記憶する記憶部と、
前記サイズ関連情報または前記リード関連情報を取得可能な取得部と、
前記取得した前記サイズ関連情報または前記リード関連情報を検索キーとして前記記憶部から該当する構成部材情報またはその組み合わせを検索する検索部と、
前記検索結果を出力する出力部と、
を備えることを要旨とする。
【０００７】
この本発明のツール検索装置は、複数の構成部材のそれぞれに関する複数の構成部材情報を、リード部品の部品本体のサイズに関するサイズ関連情報またはリード部品のリードに関するリード関連情報に対応付けて記憶する記憶部を備える。そして、本発明のツール検索装置は、サイズ関連情報またはリード関連情報を取得し、取得したサイズ関連情報またはリード関連情報を検索キーとして記憶部から該当する構成部材情報またはその組み合わせを検索し、検索結果を出力する。これにより、ユーザは、サイズ関連情報またはリード関連情報を入力することで、リード部品の把持や基板への装着に適した構成部材またはその組み合わせを効率よく見つけ出すことができる。
【０００８】
こうした本発明のツール検索装置において、前記構成部材として、少なくともツール本体と該ツール本体に取り付けられて把持動作が可能となる爪とを含み、前記記憶部は、前記複数の構成部材情報として前記ツール本体に関するツール本体情報と前記爪に関する爪情報とを、前記サイズ関連情報または前記リード関連情報に対応付けて記憶し、前記検索部は、前記取得した前記サイズ関連情報または前記リード関連情報を検索キーとして該当する前記ツール本体情報または前記爪情報あるいはそれらの組み合わせを検索するものとすることもできる。こうすれば、ユーザは、サイズ関連情報またはリード関連情報を入力することで、ツール本体情報または爪情報あるいはそれらの組み合わせを効率よく見つけ出すことができる。
【０００９】
この態様の本発明のツール検索装置において、前記構成部材として、更に前記ツール本体に取り付けられて前記リード部品の部品上面を押さえることが可能な押さえ部材を含み、前記記憶部は、前記複数の構成部材情報として更に前記押さえ部材に関する押さえ部材関連情報を、前記リード部品の上面形状に関する上面形状関連情報に対応付けて記憶し、前記取得部は、更に前記上面形状関連情報を取得可能であり、前記検索部は、前記取得した前記サイズ関連情報または前記リード関連情報と前記上面形状関連情報とを検索キーとして該当する前記ツール本体情報，前記爪情報または前記押さえ部材情報あるいはそれらの組み合わせを検索するものとすることもできる。こうすれば、ユーザは、サイズ関連情報またはリード関連情報と上面形状関連情報とを入力することで、ツール本体情報，爪情報または押さえ部材情報あるいはそれらの組み合わせを効率よく見つけ出すことができる。
【００１０】
この態様の本発明のツール検索装置において、前記ツールは、部品供給装置により供給されるリード部品を把持可能であり、前記記憶部は、前記ツール本体に対して前記押さえ部材を取り付ける際の取付け高さに関する取付け高さ関連情報を、前記リード部品が供給される際の供給高さに関する供給高さ関連情報に対応付けて記憶し、前記取得部は、更に前記供給高さ関連情報を取得可能であり、前記検索部は、前記取得した前記サイズ関連情報または前記リード関連情報と前記上面形状関連情報と前記供給高さ関連情報とを検索キーとして該当する前記ツール本体情報，前記爪情報，前記押さえ部材情報または前記取付け高さ関連情報あるいはそれらの組み合わせを検索するものとすることもできる。こうすれば、ユーザは、供給高さ関連情報を入力することで、押さえ部材の取付け高さも知ることができる。
【００１１】
また、本発明のツール検索装置において、前記記憶部は、前記構成部材情報の組み合わせ毎に対応付けて、該組み合わせからなるツールを識別するツール識別情報を記憶し、前記出力部は、前記検索部により検索された前記複数の構成部材情報の組み合わせと、該組み合わせに対応する前記ツール識別情報とを出力するものとすることもできる。こうすれば、検索された複数の構成部材情報の組み合わせの管理が容易となる。
【図面の簡単な説明】
【００１２】
【図１】本実施形態のツール検索装置１０の構成の概略を示す構成図である。
【図２】部品装着機４０の構成の概略を示す構成図である。
【図３】メカチャック５０の外観を示す外観図である。
【図４】チャック本体のバリエーションを説明する説明図である。
【図５】ツメのバリエーションを説明する説明図である。
【図６】プッシャのバリエーションを説明する説明図である。
【図７】チャック検索処理の一例を示すフローチャートである。
【図８】ガイダンス画面の一例を示す説明図である。
【図９】入力画面の一例を示す説明図である。
【図１０】チャック本体種・ツメ種決定テーブルの一例を示す説明図である。
【図１１】プッシャ種決定テーブルの一例を示す説明図である。
【図１２】プッシャ高さ決定テーブルの一例を示す説明図である。
【図１３】ツールＩＤ決定テーブルの一例を示す説明図である。
【図１４】出力画面の一例を示す説明図である。
【図１５】変形例のガイダンス画面の一例を示す説明図である。
【図１６】変形例の入力画面の一例を示す説明図である。
【発明を実施するための形態】
【００１３】
次に、本発明を実施するための形態について説明する。
【００１４】
図１は、本実施形態のツール検索装置１０の構成の概略を示す構成図であり、図２は、部品装着機４０の構成の概略を示す構成図であり、図３はメカチャック５０の外観を示す外観図である。
【００１５】
本実施形態のツール検索装置１０は、図１に示すように、キーボード３０やマウス３２等の入力装置と液晶ディスプレイ３４等の出力装置とが接続された汎用のコンピュータ２０であり、入力受付部２２と、記憶部２４と、検索部２６とを備える。記憶部２４には、複数種のツールの中から最適なツールを検索するためのツール検索プログラムがインストールされている。検索部２６は、ツール検索プログラムを起動すると、ユーザから必要な情報の入力を入力受付部２２を介して受け付け、受け付けられた情報を検索キーとしてツールを検索し、検索結果を出力装置に出力する。
【００１６】
ツールは、部品を基板に装着する部品装着機４０において、当該部品としてリード部品を把持・装着するためのメカニカルチャック（メカチャック）５０である。なお、部品装着機４０は、図２に示すように、基板Ｓを搬送する基板搬送装置４２と、部品を供給する部品供給装置４４と、部品供給装置４４から供給された部品（リード部品）をメカチャック５０によって把持して基板搬送装置４２により搬送された基板Ｓに対して装着するヘッド４８と、ヘッド４８を移動させる移動装置４６と、を備えるものとすることができる。
【００１７】
メカチャック５０は、図３に示すように、チャック本体５２とツメ５４とプッシャ５６との組み合わせにより構成され、ヘッド５０に対して着脱可能となっている。チャック本体５２とツメ５４とプッシャ５６の各部材は、それぞれ複数種類ずつ用意されており、把持対象となるリード部品の特性に応じて組み合わせて使用される。したがって、ツール検索装置１０は、それぞれ複数種類ずつ用意されたチャック本体，ツメ，プッシャの中から最適な組み合わせを検索するものとなる。図４は、チャック本体の種類を説明する説明図であり、図５は、ツメの種類を説明する説明図であり、図６は、プッシャの種類を説明する説明図である。なお、図４〜図６は、リード部品としてラジアル部品を把持するためのものとして構成されている。
【００１８】
チャック本体は、ツメとプッシャとが取り付けられた状態で、ヘッド４８に対して装着されることにより、リード部品を把持可能なチャックとして機能する。チャック本体は、把持するリード部品の大きさ（テープ送り方向の大きさ，テープ送り方向に直交する方向の大きさ）等に応じて、複数種（図４に示す「ＬＣＡ」や「ＬＣＢ」等）が用意されている。ここで、「ＬＣＡ」は比較的小さなリード部品の把持に適しており、「ＬＣＢ」は比較的大きなリード部品の把持に適している。
【００１９】
ツメは、チャック本体に取り付けられ、拡開動作と縮閉動作とによりリード部品の把持と把持したリード部品の基板Ｓへの装着とが可能なエア駆動式の開閉部材である。ツメは、使用されるチャック本体の種類やリードピッチ、リード径等に応じて、複数種（図５に示す「ＬＡＲ０２５」，「ＬＡＲ０５０」，「ＬＢＲ６Ｎ０２５」，「ＬＢＲ６Ｎ０５０」等）が用意されている。ここで、「ＬＡＲ０２５」，「ＬＡＲ０５０」はチャック本体として「ＬＣＡ」が使用される場合に使用が可能なツメである。「ＬＡＲ０５０」は、「ＬＡＲ０２５」よりも大きなリードピッチのリード部品の把持に適している。また、図示しないが、「ＬＡＲ０５０」よりも大きなリードピッチのリード部品の把持に適した「ＬＡＲ０７５」等もある（末尾の３桁の数字が大きいほど大きなリードピッチに対応）。また、「ＬＢＲ６Ｎ０２５」，「ＬＢＲ６Ｎ０５０」はチャック本体として「ＬＣＢ」を使用する場合に使用が可能なツメである。「ＬＢＲ６Ｎ０５０」は、「ＬＢＲ６Ｎ０２５」よりも大きなリードピッチのリード部品の把持に適している。また、図示しないが、「ＬＢＲ６Ｎ０５０」よりも大きなリードピッチのリード部品の把持に適した「ＬＢＲ６Ｎ０７５」等もある（末尾の３桁の数字が大きいほど大きなリードピッチに対応）。さらに、図示しないが、リード径が更に大きなリード部品の把持に適した「ＬＢＲ８Ｎ０２５」，「ＬＢＲ８Ｎ０５０」，「ＬＢＲ８Ｎ０７５」等もある（「ＬＢＲ」の後に続く数字が大きいほど大きなリード径に対応）。
【００２０】
プッシャは、チャック本体に取り付けられ、リード部品を装着する際に部品上面を押さえるエア駆動式の押さえ部材である。プッシャは、部品上面の形状や使用されるチャック本体の種類等に応じて、複数種（図６に示す「ＰＡＨ」，「ＰＡＢ」，「ＰＢＨ」，「ＰＢＢ」等）が用意されている。ここで、「ＰＡＨ」や「ＰＢＨ」は部品上面の形状が平らなもの（アルミニウム電解コンデンサ等）に対して使用されるプッシャであり、「ＰＡＢ」や「ＰＢＢ」は縦型の部品（縦型抵抗等）に対して使用されるプッシャである。また、図示しないが、ディスク型やフィルム型の部品に対して使用される「ＰＡＣ」，「ＰＢＣ」や、砲弾型の部品（砲弾型ＬＥＤ等）に対して使用される「ＰＡＤ」，「ＰＢＤ」等もある。また、プッシャは、チャック本体の種類によって、使用可能なものと使用不可能なものとがある。具体的には、「ＰＡＨ」，「ＰＡＢ」，「ＰＡＣ」，「ＰＡＤ」は、「ＬＣＡ」タイプのチャック本体に対して使用が可能であり、「ＰＢＨ」，「ＰＢＢ」，「ＰＢＣ」，「ＰＢＤ」は、「ＬＣＢ」タイプのチャック本体に対して使用が可能である。
【００２１】
次に、本実施形態のツール検索装置１０の動作、特に、リード部品としてラジアル部品の把持と基板Ｓへの装着に適したチャックを検索する処理について説明する。図７は、検索部２６により実行されるチャック検索処理の一例を示すフローチャートである。この処理は、チャック検索プログラムが起動されている状態で、液晶ディスプレイ３４に表示されるガイダンス画面上の”入力開始”のボタンがクリックされたことが入力受付部２２によって受け付けられたときに実行される。
【００２２】
図８にガイダンス画面の一例を示す。図示するように、ガイダンス画面は、ユーザが入力すべき入力項目の一覧が表示される入力項目表示欄（「はじめに」）と、各入力項目の詳細を説明する説明表示欄（「用意するもの」）とにより構成される。なお、入力項目としては、本実施形態では、テープ送り方向の部品の大きさ（Ｄ１），テープ送り方向に直交する方向の部品の大きさ（Ｄ２），リード径（ｄ），リードピッチ（Ｆ），テープ送り穴中心から部品の最も高い位置までの距離、即ち部品供給装置４４がラジアル部品を供給する際の供給高さ（Ｈ）および部品形状（部品上面が平ら，ディスク型，フィルム型，縦型抵抗，砲弾型）がある。なお、図８に示されていないが、入力項目は、これらの他に、リードの本数（Ｎ）や、ラジアル部品を基板Ｓ上に装着した後、基板下のリード線を加工（カット＆クリンチ）するか否かの「カット＆クリンチの有無」などもある。
【００２３】
チャック検索処理が実行されると、検索部２６は、まず、液晶ディスプレイ３４にユーザからの必要項目の入力を受け付ける入力画面を表示し（ステップＳ１００）、ユーザからの入力が完了するのを待つ（ステップＳ１１０）。図９に、入力画面の一例を示す。入力画面には、図示するように、部品情報として上述した「部品名」，「Ｄ１」，「Ｄ２」，「ｄ」，「Ｆ」，「Ｈ」，「部品形状」，「リード本数Ｎ」，「カット＆クリンチの有無」および「その他の情報」の各入力欄と、各入力欄に入力した部品情報をクリアするための”クリア”ボタンと、各入力欄に入力した部品情報を登録するための”登録”ボタンとが表示される。なお、「部品形状」の入力、例えばドロップダウンリストにより表示される選択肢（「部品上面が平ら」，「ディスク型」，「フィルム型」，「縦型抵抗」，「砲弾型」）から選択することで行うことができる。また、「カット＆クリンチの有無」の入力は、例えばドロップダウンリストにより表示される選択肢（「Ｙｅｓ」，「Ｎｏ」）から選択することで行うことができる。ユーザは、キーボード３０を用いて各入力欄に部品情報を入力し、”登録”ボタンをクリックすることにより、入力した部品情報をリスト（表）に登録させることができる。
【００２４】
また、入力画面には、登録済みの部品情報が一覧表示される部品情報リスト（表）が表示される。部品情報リスト（表）の上部には、画面を一つ前の画面（上述したガイダンス画面）に戻るための”戻る”ボタンと、部品情報リスト（表）に表示されている部品情報を保存するための”表保存”ボタンと、部品情報リスト（表）に表示されている部品情報を削除するための”部品クリア”ボタンと、部品情報リスト（表）に表示されている部品情報を基にツール構成を検索するための”検索開始”ボタンと、が表示される。検索部２６は、部品情報リスト（表）に部品情報が登録されている状態で、”検索開始”ボタンがクリックされると、ステップＳ１１０で入力が完了したと判定する。
【００２５】
検索部２６は、入力が完了したと判定すると、入力された部品情報から部品サイズＤ１，Ｄ２，距離Ｈ，リード本数Ｎ，リードピッチＦ，リード径ｄ，部品形状などの各入力項目を取得する（ステップＳ１２０）。そして、検索部２６は、取得した各入力項目のうち「Ｎ」，「Ｄ１」，「Ｄ２」，「ｄ」，「Ｆ」および「Ｈ」を検索キーとしてチャック本体種・ツメ種決定テーブルから該当するチャック本体種とツメ種の組み合わせを検索する（ステップＳ１３０）。図１０は、チャック本体種・ツメ種決定テーブルの一例を示す説明図である。チャック本体種・ツメ種決定テーブルは、図示するように、チャック本体種およびツメ種の各組み合わせ毎に、「Ｎ」，「Ｄ１」，「Ｄ２」，「ｄ」，「Ｆ」および「Ｈ」が対応付けられたものである。例えば、「Ｄ１」が１０．００ｍｍ、「Ｄ２」が５．００ｍｍ、「ｄ」が０．５０ｍｍ、「Ｆ」が５．００ｍｍ、「Ｈ」が３２．００ｍｍの場合、図１０に示すように、チャック本体種およびツメ種の組み合わせとして「ＬＣＢ」および「ＨＢＲ６Ｎ０５０」が選択される。
【００２６】
続いて、検索部２６は、取得した各入力項目のうち「Ｈ」，「部品形状」および「Ｄ２」とステップＳ１３０で選択したチャック本体種とを検索キーとしてプッシャ種決定テーブルから該当するプッシャ種を検索する（ステップＳ１４０）。図１１は、プッシャ種決定テーブルの一例を示す説明図である。プッシャ種決定テーブルは、図示するように、プッシャ種毎に、「Ｈ」と「部品形状」と「Ｄ２」と「チャック本体種」とが対応付けられたものである。例えば、「Ｈ」が３２．００ｍｍ、「部品形状」が部品上面が平ら、「Ｄ２」が５．００ｍｍであり、且つ、チャック本体種として「ＬＣＢ」が選択された場合、プッシャ種として「ＰＢＨ」が選択される。
【００２７】
そして、検索部２６は、取得した各入力項目のうち「Ｈ」を検索キーとしてプッシャ高さ決定テーブルから該当するプッシャ高さを検索する（ステップＳ１５０）。図１２は、プッシャ高さ決定テーブルの一例を示す説明図である。プッシャ高さ決定テーブルは、図示するように、プッシャ高さ毎に「Ｈ」が対応付けられたものである。例えば、「Ｈ」が３２．００ｍｍの場合、プッシャ高さとして「１０」が選択される。
【００２８】
検索部２６は、こうしてチャック本体種とツメ種とプッシャ種とプッシャ高さの組み合わせを検索すると、検索結果の組み合わせから該当するツールＩＤを検索し（ステップＳ１６０）、出力画面を表示して（ステップＳ１７０）、チャック検索処理を終了する。
【００２９】
図１３は、ツールＩＤ決定テーブルの一例を示す説明図である。ツールＩＤ決定テーブルは、図示するように、チャック本体種とツメ種とプッシャ種との組み合わせのうち実現可能な全ての組み合わせに対して固有のＩＤが割り当てられたテーブルである。例えば、チャック本体種が「ＬＣＢ」、ツメ種が「ＨＢＲ６Ｎ０５０」、プッシャ種が「ＰＢＨ」の場合、ツールＩＤとして「７ＦＢＨＣＡ」が選択される。
【００３０】
図１４は、出力画面の一例を示す説明図である。出力画面には、図示するように、表の表示順を示す「Ｎｏ．」や検索されたツール構成（チャック本体種，ツメ種，プッシャ種）を識別するための「ツールＩＤ」、ツールＩＤがコード化された２Ｄコードの発行対象となっているか否かを示す「発行対象」、「シリアルＮｏ．」、「チャック本体種」、「ツメ種」、「プッシャ種」、「プッシャ高さ」等が一覧表示されるツール構成リスト（表）が表示される。なお、「発行対象」は、例えばドロップダウンリストにより表示される選択肢（「Ｙｅｓ」，「Ｎｏ」）から選択することで行うことができる。また、ツール構成リスト（表）の上部には、画面を一つ前の画面（入力画面）に戻るための”戻る”ボタンと、ツール構成リスト（表）に表示されているツール構成のうち発行対象となっているツール構成の２Ｄコードを発行するための”２Ｄコード発行”ボタンと、ツール構成リスト（表）に表示されているツール構成を保存するための”ツール構成保存”ボタンと、ツール構成リスト（表）をクリアするための”ツール構成表クリア”ボタンとが、表示される。なお、２Ｄコードの発行は、ツール構成リスト（表）に表示されているツール構成のうち発行を希望するツール構成の「発行対象」として「Ｙｅｓ」を選択した状態で、”２Ｄコード発行”ボタンをクリックすることにより行うことができる。本実施形態のツール検索装置１０は、図示しないプリンタが接続されており、２Ｄコードの発行が指示されると、印刷ジョブをプリンタに出力して、指示に係る２Ｄコードをプリンタに印刷させる。
【００３１】
ユーザは、出力画面のツール構成リスト（表）に表示されているツール構成を確認した上で、必要なチャック本体とツメとプッシャとを用意してこれらを組み付けると共に、プッシャを指定された高さに調整することにより、対象のラジアル部品を把持可能なチャックとして使用可能とすることができる。なお、２Ｄコードは、部品装着機４０が使用ツール（チャック）を認識するために読み取り可能なコードであり、ツールに貼り付け可能となっている。
【００３２】
ここで、本実施例の主要な要素と発明の開示の欄に記載した発明の主要な要素との対応関係について説明する。即ち、チャック本体５２やツメ５４、プッシャ５６が「構成部材」に相当し、メカチャック５０が「ツール」に相当し、記憶部２４が「記憶部」に相当し、入力受付部２２が「取得部」に相当し、検索部２６が「検索部」に相当し、出力装置（液晶ディスプレイ３４）が「出力部」に相当する。また、チャック本体が「ツール本体」に相当し、ツメが「爪」に相当し、プッシャが「押さえ部材」に相当する。
【００３３】
以上説明した本実施形態のツール検索装置１０は、チャック本体種・ツメ種決定テーブルを予め記憶部２４に記憶しておき、部品の大きさＤ１，Ｄ２等の部品本体のサイズに関する情報やリードピッチＦ，リード径ｄ等のリードに関する情報を入力し、入力した情報を検索キーとしてチャック本体種・ツメ種決定テーブルから該当するチャック本体種とツメ種の組み合わせを検索する。これにより、これまで知識がなければできなかったツールの選択を自動で行うことができるようになる。即ち、ユーザは、チャック本体とツメとをそれぞれある程度準備しておけば、ツール検索装置１０を用いることで、これらを組み合わせて使用することが可能となる。
【００３４】
また、本実施形態のツール検索装置１０は、更にプッシャ種決定テーブルを予め記憶部２４に記憶しておき、リード部品の上面形状（部品形状）等の情報を入力し、入力した情報を検索キーとしてプッシャ種決定テーブルから該当するプッシャ種を検索する。これにより、チャック本体にプッシャを取り付けて使用する場合に、チャック本体種とツメ種とプッシャ種の選択を自動で行うことができる。更に、プッシャ高さ決定テーブルを用いてチャック本体にプッシャを取り付ける際のプッシャ高さの調整に必要な情報も合わせて検索することができ、利便性をより高めることができる。
【００３５】
なお、本発明は上述した実施形態に何ら限定されることはなく、本発明の技術的範囲に属する限り種々の態様で実施し得ることはいうまでもない。
【００３６】
例えば、上述した実施形態では、プッシャ種に加えて、チャック本体にプッシャを取り付ける際のプッシャ高さを検索可能としたが、プッシャ高さを検索しないものとしてもよい。
【００３７】
また、上述した実施形態では、チャック本体種とツメ種とプッシャ種との組み合わせを検索可能としたが、３種全ての組み合わせを検索する必要はなく、これらのうち２種の組み合わせや１種の検索ができればよい。例えば、チャック本体種とツメ種の組み合わせのみを検索可能としてもよい。
【００３８】
また、上述した実施形態では、チャック本体種とツメ種とプッシャ種との組み合わせに対してツールＩＤを割り当てるものとしたが、これに限定されるものではなく、ツール構成（チャック本体，ツメ，プッシャ）毎にＩＤを割り当て、それぞれ個別に管理するものとしてもよい。
【００３９】
また、上述した実施形態では、ツール検索装置１０を、ラジアル部品の把持や基板Ｓへの装着に適したツールを検索するものに適用して説明したが、これに限定されるものではなく、例えば、アキシャル部品の把持や基板Ｓへの装着に適したツールを検索するものに適用する等、他の如何なるリード部品にも適用しうる。なお、アキシャル部品の把持や基板Ｓへの装着に適したツールを検索する場合、図８のガイダンス画面に代えて図１５のガイダンス画面を用いるものとし、図９の入力画面に代えて図１６の入力画面を用いるものとすればよい。なお、アキシャル部品用のチャックを選択するための部品情報の入力項目としては、長手方向の部品の大きさ（Ｄ），リード径（ｄ），リードピッチ（Ｆ）等を挙げることができる。
【産業上の利用可能性】
【００４０】
本発明は、ツール検索装置の製造産業などに利用可能である。
【符号の説明】
【００４１】
１０  ツール検索装置、２０  コンピュータ、２２  入力受付部、２４  記憶部、２６  検索部、３０  キーボード、３２  マウス、３４  液晶ディスプレイ、４０  部品装着機、４２  基板搬送装置、４４  部品供給装置、４６  移動装置、４８  ヘッド、５０  メカニカルチャック（メカチャック）、５２  チャック本体、５４  ツメ、５６  プッシャ、Ｓ  基板。
【図１】
2017090131.tif 000003
【図２】
2017090131.tif 000004
【図３】
2017090131.tif 000005
【図４】
2017090131.tif 000006
【図５】
2017090131.tif 000007
【図６】
2017090131.tif 000008
【図７】
2017090131.tif 000009
【図８】
2017090131.tif 000010
【図９】
2017090131.tif 000011
【図１０】
2017090131.tif 000012
【図１１】
2017090131.tif 000013
【図１２】
2017090131.tif 000014
【図１３】
2017090131.tif 000015
【図１４】
2017090131.tif 000016
【図１５】
2017090131.tif 000017
【図１６】
2017090131.tif 000018
【国際調査報告】
2017090131.tif 000019
2017090131.tif 000020